(57)【特許請求の範囲】
【請求項１】
調整される必要がある各々の機能および／または時間指示機構を選択するための選択部（Ｌ）と、選択された前記機能および／または時間指示機構を制御する制御部（Ｔ）とを備え、少なくとも３つの前記機能および／または時間指示機構を制御する時計であって、前記選択部（Ｌ）は表面に複数のプロファイルを有する選択カム（Ｃ１）を含むと共に、前記制御部（Ｔ）を前記選択された前記機能および／または時間指示機構の各々に連結する連結手段（Ｌ１、Ｌ２、Ｌ３）を備える時計。
【請求項２】
前記制御部（Ｔ）が、回転において１自由度および軸方向の並進において１自由度を有し、
前記制御部（Ｔ）に連結し、表面に複数のプロファイルを有する第２のカム（Ｃ２）と、
前記連結手段（Ｌ１、Ｌ２、Ｌ３）を前記選択カム（Ｃ１）に圧接させるばね（ＲＥ１、ＲＥ２、ＲＥ３）とを備える、請求項１に記載の時計。
【請求項３】
前記選択カム及び第２のカム（Ｃ１、Ｃ２）が、共有軸の周りを枢動するように取り付けられる、請求項２に記載の時計。
【請求項４】
前記時計のケーシングに、前記選択部（Ｌ）として使用される回転ベゼルが設けられる、請求項１から３のいずれか一項に記載の時計。
【請求項５】
前記時計ケーシングの胴部（Ｍ）が、前記回転ベゼルの回転の平面に垂直な長手方向軸を有し、前記制御のための制御軸（Ａ）を格納するハウジング（ＬＭ、ＬＭ１）を備え、前記制御軸（Ａ）の前記回転ベゼルに隣接する先端にはマルタ十字（ＣＭ）が設けられると共に、前記胴部の内面に向かって開口する前記ハウジング（ＬＭ）の一部分（ＬＭ１）に配置された他方の先端に前記選択カム（Ｃ１）にデスモドロミック連結されたピニオン（Ｄ）が設けられ、前記回転ベゼルが、前記マルタ十字（ＣＭ）と係合するために前記平面上で角度的に分散配置された係合要素（Ｇ）を備える、請求項４に記載の時計。
【請求項６】
前記回転ベゼルが、どの選択位置にあるかを識別する指示部をさらに有する、請求項４または５に記載の時計。
【請求項７】
前記第２のカム（Ｃ２）とデスモドロミック連結された前記制御部（Ｔ）は、巻上げと選択された前記時間指示機構の調整とを選択的に実行するための巻真であり、前記巻真は、前記調整のための歯車列の歯状の可動部（Ｒ３）および巻上げ歯車列の歯状の可動部（ＲＣ１）と連続的に係合する円筒形の中間ピニオン（Ｐ）内を滑動するように取り付けられた非円形の断面部分を有すると共に、係合可動部（ＲＣ２）と一体である軸（ＡＣ）と係合する円錐台表面によって互いに連結された異なる直径（Ｉ、ＩＩ）の２つの隣り合う部分を備え、選択された前記機能および時間指示機構の１つを調整する位置にあるときに、前記巻上げ歯車列から外れることができるようになる、請求項２から６のいずれか一項に記載の時計。
【請求項８】
前記選択カム（Ｃ１）により選択される前記機構の１つは、前記巻上げのための機構である、請求項７に記載の時計。
【請求項９】
前記選択部（Ｌ）と前記制御部（Ｔ）は異なっている、請求項１から８のいずれか一項に記載の時計。
【請求項１０】
前記制御部（Ｔ）は、２つの軸方向位置を有する巻真であり、軸方向位置の１つは香箱ばねを巻き戻すための位置に対応する、時計のムーブメントに向かって押し込まれた位置であり、軸方向位置の他方は、選択された、あるいは選択されることになる機能または時間指示のうちの１つを調整するための位置に対応する、巻真が外側に引っ張られた位置である、請求項１から９のいずれか一項に記載の時計。
【請求項１１】
前記巻真は、巻き上げムーブメントの２つの同軸可動部分を軸方向に分離する掛け外しシステムと関連付けられる、請求項１から１０のいずれか一項に記載の時計。
【請求項１２】
前記制御部を連結する連結手段の一つは、バネ（ＲＥ２）により押圧されて枢動するように取り付けられ、かんぬき（Ｂ２）を移動させる、レバー（Ｌ２）である、請求項１から１１のいずれか一項に記載の時計。
【発明の詳細な説明】
【技術分野】
【０００１】
本発明は、機能および／または時間指示を制御するための装置であって、動作を開始する必要がある各々の機能および／または時間指示を選択するための制御と、前記選択された機能または時間指示を調整するための制御とを備える装置が設けられた時計に関する。
【背景技術】
【０００２】
通常、機能および／または時間指示は、巻真を用いて調整される。機械式時計の場合、巻真は、時計の中心に向かって押されると、ばねの巻き戻しを制御し、外側に引っ張ることによる第２の軸方向位置では、時間および分の指示を調整するためにムーブメントと係合させられる。また、日指示器を有する腕時計も存在し、この時計では、巻真を第３の位置に移動させて日または曜日の指示器を調整することができる。
【０００３】
これが、事実上、巻真のみを用いて調整できる機能および／または時間指示の限界である。実際、巻真の位置の数をさらに増やし得たとしても、ユーザは、各々の位置の機能を覚えることが困難になり、それどころか、巻真がどの位置にあるかを知ることも難しくなるであろう。調整される必要がある３つ以上の指示が存在する場合、現在調整している機能および／または時間指示の種類についての情報をユーザに知らせる必要がある。
【０００４】
特許文献１では、回転ベゼルを用いて巻上げラチェットまたはムーブメントのいずれかと係合することができる中間車が設けられたかんぬきを制御することにより、巻き戻しと時間設定の間の機能の選択を機能の実行から分離することがすでに提案されている。固定された軸方向位置を有する巻真は、ベゼルによって制御されたかんぬきの位置に応じて、巻上げまたは時間の設定のいずれかに使用される。１つのかんぬきが使用されるため、この解決策を用いて補正することができる機能の数が、非常に限定されていることは明らかである。実際、本文献で説明する解決策では、設定レバーおよびスライディングピニオンを備える２位置式の巻真が、単一の軸方向位置の巻真およびベゼルによって制御されるかんぬきに置き換わっているが、調整される必要がある機能の数は増えていない。
【０００５】
径方向軸ピニオンに係合する環状歯が装着された回転ベゼルを使用して、時間機能、すなわち時間軸、日付、曜日、月、またはさらには年を調整することを提案する文献が複数存在する。これらの装置の１つが、特許文献２に記載されている。この装置では、ベゼルだけを使用して上述の機能の１つを調整できることに留意されたい。
【０００６】
他の装置では、独立したプッシュボタンを追加することによって、時間指示を調整する可能性を付加することが提案されているが、そのプッシュボタンにより、時計の美観が損なわれるため、このようにして調整できる指示の数は必然的に限定される。
【０００７】
さらに、特許文献３や特許文献４では、回転ベゼルを使用して様々な時間設定を選択することが提案されているが、調整される指示は、電子時計分野以外の適用を除外する電子制御によって選択される。
【０００８】
最後に、特許文献５は、巻真が回転において１自由度のみを有し、巻上げ位置から時間設定位置への移行がかんぬき上で動作するカムによって行われる、巻上げおよび時間設定機構を開示している。そのようなシステムは、２つの機能および／または時間指示の制御の間の選択のみを可能にする。そこで、本発明の目的は、制御できる機能および／または時間指示の数を増やすことを可能にすることである。
【０００９】
複数の機能および／または時間指示の設定は、満足な解決策を見出すことが困難な問題を引き起こすことが明白である。
【特許文献１】ＣＨ２２８
【特許文献２】ＥＰ１５８４０００
【特許文献３】特開平２−０３６３９５号公報
【特許文献４】ＵＳ４２５３１７７
【特許文献５】ＵＳ３６０４１５
【発明の開示】
【発明が解決しようとする課題】
【００１０】
本発明の目的は、既知の解決策の欠点を少なくとも部分的に克服することである。
【００１１】
この目的のため、本発明は、請求項１に記載の機能および／または時間指示調整装置が装着された時計に関する。
【課題を解決するための手段】
【００１２】
好ましくは、設定制御は、ｎ回（ｎ≧２）の、それぞれ非調整状態と調整状態に対応する２つの状態０、１を有するプロファイルを備える第２のカムと運動学的連結状態にあり、調整装置は、２つのそれぞれのカム上における２つの状態１の間の一致を検出する手段を備える。
【００１３】
この調整装置が装備されたこの時計の利点は、本質的には、選択と設定の分離からきている。補正は、調整される必要がある機能および／または指示が選択される場合にのみ可能であり、すなわち、好ましい実施形態の場合、２つのカムの２つの状態１の間の一致が存在しなければならない。カムが動作する順番は、重要ではない。
【００１４】
有利なことに、調整されるべき機能および／または指示は、回転ベゼルを用いて選択される。このため、ベゼルが３６０°回転することができるので、調整されるべき機能および／または指示の数は、多くなり得る。したがって、調整が望まれる各々の機能および／または指示は、回転ベゼル上の基準マークを、調整される必要がある機能および／または指示に対応する固定指示と対向するように移動させることによって、有利に識別することができる。したがってユーザは、この設定制御を用いて、どの操作を実行することになるかを常に把握する。
【００１５】
有利なことに、設定制御は、２位置式巻真を備え、その一方の位置は巻上げ位置であり、第２の位置は調整位置である。したがって、単一の２位置式巻真を使用して、複数の機能および／または時間指示を調整することができ、その数は、その単一の調整位置よりも実質的に多くなる。
【００１６】
さらに調整は、調整される必要がある機能および／または時間指示を選択する制御によって選択されるので、巻真をスライディングピニオンと関連付ける必要はもはやなく、有利なことに、巻上げムーブメントの２つの同軸可動部分を軸方向に分離する掛け外しシステムと関連付けることができる。また、スライディングピニオンを排除することにより、スライディングピニオンとムーブメントの間の固着のリスクを回避することも可能になる。
【００１７】
好ましい実施形態では、２つのカム上の２つの状態１の間の一致を検出する手段を、選択された機能および／または時間指示を調整する巻真によって伝達される力ではなく、ばねを用いて動作させることができることが好ましい。
【００１８】
この調整装置が装備されたこの時計は、調整される必要がある機能および／または指示の数が、最新技術の大部分の時計にあるものよりも実質的に多くなっても、とりわけ信頼性が高く使いやすいことが明らかであろう。
【００１９】
添付の図は、説明図、および本発明が関連する時計の１つの好ましい実施形態を例として図に示す。
【発明を実施するための最良の形態】
【００２０】
調整装置の一般的な概念を、図１（ａ）および（ｂ）で非常に概略的に示す。この概念によれば、装置は、ｎ（ｎ≧２）回の０および１の２つの状態を有するバイナリプロファイルを有する少なくとも１つの選択カムＣ１を備える。選択カムＣ１が回転軸の周りを枢動するように取り付けられた図示されている例では、レベル０は、非選択状態に対応して回転軸を中心とする円形表面を形成し、一方でレベル１は、選択状態に対応して円形表面上に少なくとも２つの中空を形成する。
【００２１】
考察されている例では、調整装置は、３つの異なる時間指示を調整するように設計されており、その指示の各々は、カムＣ１に圧接して調整を要する時間指示を調整制御に連結する手段を含む。図１（ａ）および（ｂ）の概略図では、上述の手段が、軸Ａ１、Ａ２、およびＡ３それぞれの周りを枢動するように取り付けられ、戻りばねＲＥ１、ＲＥ２、およびＲＥ３のそれぞれによって選択カムＣ１に圧接されるレバーＬ１、Ｌ２、Ｌ３の形態で示されている。図１（ａ）および（ｂ）には図示されていないが、続いて説明される手段は、選択機能または時間指示を調整制御に連結するために、選択カムＣ１を角度的に移動させて状態１に対応するその中空をレバーＬ１、Ｌ２、Ｌ３の１つに対向するように選択的に移動させることを可能にすることが意図されている。
【００２２】
本発明の好ましい実施形態では、２つの軸方向位置を有する巻真Ｔの使用を提供しており、１つは、機械式時計の場合、香箱ばねを巻き戻すための従来の位置に対応する、時計のムーブメントに向かって押し込まれた軸方向位置であり、１つは、時間を設定するための従来の位置に対応する、巻真Ｔが制御部材として使用されるために外側に引っ張られた軸方向位置である。しかし、本発明の場合、この第２の位置は、選択された、あるいは選択されることになる機能または時間指示のうちの１つを調整するための位置に対応する。
【００２３】
巻真Ｔに関連する巻上げ機構を以下に詳細に説明する。現時点では、この巻真Ｔは、この例では選択カムＣ１と同心のほぼ円形状のカムである第２のカムＣ２とデスモドロミック連結状態にあることを述べるだけで十分である。カムＣ２と巻真Ｔの間のデスモドロミックリンクは、軸Ａ４の周りを枢動するように取り付けられた設定レバーＴｉによって提供され、この設定レバーの一方のアームは、巻真Ｔと係合し、他方のアームは、カムＣ２と一体であるアームＣ２’の縦長の開口部内にあそびを有して取り付けられたピンを有する。
【００２４】
このカムＣ２は、ｎ回（ｎ≧２）の０および１の２つの状態を備えるが、ここでは、調整される必要がある機能または時間指示が存在するのと同じ数の中空によって形成された状態１を備える。状態１に対応するこれらの中空は、選択カムＣ１およびカムＣ２に同時に圧接するレバーＬ１、Ｌ２、Ｌ３の先端を分離するそれぞれの角距離に対応して、互いに角距離で離間して設定され、状態０に対応するこれら２つのカムの円形部は、同じ半径を有する。したがって、巻真Ｔの軸方向位置に応じて、カムＣ２は、カムＣ１、Ｃ２の回転軸の周りの２つの角度位置を占有し、その角度位置の一方は、カムＣ２の状態１の中空が対応するレバーＬ１、Ｌ２、Ｌ３の先端と対向しない、押し入れられた軸方向位置にある巻真Ｔに対応しており、他方は、カムＣ２の状態１の中空がレバーＬ１、Ｌ２、Ｌ３の対応する先端に対向する引っ張り出された位置にある巻真Ｔの位置に対応する。しかし、レバーＬ１、Ｌ２、Ｌ３は２つのカムＣ１、Ｃ２に同時に圧接することから考えると、カムＣ２が第２のこの角度位置にあるだけでは、機能または時間指示を調整することはできない。実際、そのような調整を可能にするには、２つのカムＣ１、Ｃ２の状態１に対応する２つの中空が、同じ角度位置にあらねばならず、また、レバーＬ１、Ｌ２、Ｌ３の１つの先端と対向しなければならない。したがって、カムＣ２の状態１の中空が種々のレバーＬ１、Ｌ２、Ｌ３の先端と対向するときに、選択カムＣ１を回転させてその中空状態１を調整が望まれる機能または時間指示に対応するレバーＬ１、Ｌ２、Ｌ３に対向するように移動させるだけで十分である。１つの調整位置から他の調整位置への移行時、すべてのレバーＬ１、Ｌ２、Ｌ３は、状態０を通過する。
【００２５】
これまで時間指示を調整するための装置の一般原理を説明してきたので、次に、調整するべき機能または指示が、本発明による時計の時計ケース上に取り付けられた回転ベゼルＬ（図３および４）によって選択される、本発明の好ましい実施形態を説明する。ベゼルＬの下面に隣接するこの時計ケースの胴部Ｍの上面は、回転ベゼルＬの回転中心と一致する、胴部Ｍの中心を基軸とする円Ｒ（図２）の弧状の溝を備える。制御軸Ａが、胴部Ｍ内の円筒形のハウジングＬＭ内に取り付けられる。制御軸Ａの長手方向軸と同じその円筒形のハウジングＬＭの長手方向軸は、回転ベゼルＬの回転平面に対して垂直である。２つのＯリングシールＪが、制御軸Ａと円筒形ハウジングＬＭの壁の間に配置される。軸の上部先端は、制御軸Ａの自由回転を防ぐことが意図されたロッキングスクエア（ｌｏｃｋｉｎｇ  ｓｑｕａｒｅ）ＣＶで終端する。マルタ十字ＣＭは、ロッキングスクエアＣＶの下方に固定され、回転ベゼルＬ上で角度的に分散された駆動ピンＧの対がマルタ十字ＣＭに係合するようになるとき、２つの９０°を通り抜けることが意図されている。ピンＧの各々の対の位置は、調整を要する選択された時間指示に対応する。その結果、基準マークを回転ベゼルＬ上に固定することができ、調整を要する選択された時間指示に関する情報を、例えば文字面または文字面を取り囲む隆起部分に配置することができ、その結果、回転ベゼルＬがどの選択位置、または非選択位置にあるかを知ることが可能になる。
【００２６】
制御軸Ａの他方の先端は、胴部Ｍの内側の側面に向けて開口する胴部ＭのハウジングＬＭの部分ＬＭ１に入る。制御軸Ａのこの他方の先端は、４つのアームが装着されたピニオンＤと一体であり、さらにこの４つのアームは、時間指示を調整するための装置のセレクタＳ（図７〜１０）のアームを駆動するために胴部Ｍ内に進入する。このセレクタＳは、選択カムＣ１および位置決めカムＣ３と一体である中間車Ｒ２を係合する中間車Ｒ１と一体である。
【００２７】
次に、巻真Ｔによって制御され、この例では調整制御も備える巻上げ機構について、図５および６をより詳細に参照してより詳しく説明する。
【００２８】
巻真Ｔは、前に説明したように設定レバーＴｉのアームと係合する。巻真の内側の先端は、ほぼ円筒形状であり、ムーブメントの第１の可動中間車Ｒ６と一体の中間車Ｒ３と、その正面歯Ｄｆとが係合する、中間車Ｐのピニオンの軸方向の開口部の部分と合致する多角形の部分ＩＩＩを有する。巻上げピニオンＰはまた、竜頭の軸ＡＣと一体でありばねＲＥＳ１によって竜頭の第１の車ＲＣ１に軸方向に押し付けられた、第２の巻上げカムＲＣ２のＢｒｅｇｕｅｔベベル歯Ｄａと係合する、Ｂｒｅｇｕｅｔベベル歯Ｄａが設けられた巻上げ竜頭ＲＣ１の角度付けされた歯と係合する角度付けされた歯Ｄｃも有する。この第２の巻上げ竜頭ＲＣ２は、巻真Ｔと巻上げ歯車列の間の係合機構の係合の可動部分を形成する。
【００２９】
この係合機構を制御するために、竜頭ＡＣの軸の一方の先端は、巻真がその巻上げ位置に対応する押し入れられた位置にあるとき（図５）、ばねＲＥＳ１によって巻真Ｔの小さい方の直径の第１の部分Ｉに押し付けられる。この第１の位置Ｉが、円錐台の表面によって大きい方の直径の第２の部分ＩＩに連結され、その結果、巻真Ｔが外側に引っ張られると、竜頭の軸ＡＣが、２つのＢｒｅｇｕｅｔベベル歯Ｄａが互いに分離されるようにして戻りばねＲＥＳ１の圧力に対抗して隆起され、それによって巻真Ｔと香箱スプロケットＲＯの間の運動学的リンクが遮断される。
【００３０】
従来の巻上げ機構とは異なり、巻上げピニオンＰは、スライディングピニオンではなく、巻真Ｔのみが、巻真Ｔの長手方向軸に関連して固定されたピニオンＰ内を滑動することに留意されたい。これは、調整ムーブメントの第１の可動部分Ｒ３、Ｒ６が、巻真Ｔの軸方向位置にかかわらず、連続的に係合されることを意味する。巻真Ｔが引っ張り出される位置（図６）では、設定レバーＴｉは、カムＣ２を図８〜１０に図示する位置へと移動させており、それは、カムＣ２の状態１に対応する３つの中空が、レバーＬ１、Ｌ２、Ｌ３の先端に対向してそれぞれ配置されることを意味する。しかし、それらのレバーは、選択カムＣ１の中空がカムＣ２内の中空の１つと合わせられるまで、ばねＲＥ１、ＲＥ２、ＲＥ３によってその中空内に押し込めることはできない。前に説明したように、選択カムＣ１は、回転ベゼルＬおよび制御軸Ａと一体のマルタ十字と係合するピンＧの対を回転させることによって係合状態にされ、この係合状態は、中間車Ｒ１と一体であるセレクタＳ（図７）のアームを選択カムＣ１と一体である中間車Ｒ２と係合させる効果を有する。選択カムＣ１と一体である位置決め部材Ｃ３は、位置決め留め金ＳＰと係合し、選択カムＣ３を、選択された機能または時間指示の調整の制御に対応する位置に保持するように働く。
【００３１】
次に、図８〜１０に示す引っ張り出された位置にある巻真Ｔと、調整のために選択された様々な時間指示との間の運動学的リンクがどのように提供されるかを説明する。
【００３２】
図７は、調整が実施できない位置にある調整装置の様々な部材を示す。調整装置は、軸ＰＢ１、ＰＢ２それぞれの周りを枢動する２つのかんぬきＢ１およびＢ２を有する。かんぬきＢ１は、時間設定用のかんぬきであり、このかんぬきＢ１の枢軸ＰＢ１と同心であり巻上げピニオンＰの正面歯Ｄｆと連続的に係合する中間車Ｒ３、および中間車Ｒ４、Ｒ５の３つの中間車を有する。このかんぬきＢ１は、連接部Ｇ１によってレバーＬ１に連結され、レバーＬ１は、軸Ａ１の周りを枢動するように取り付けられる。
【００３３】
かんぬきＢ２は、中間車Ｒ３と同軸でありそれと一体の中間車Ｒ６と連続的に係合される枢軸ＰＢ２と同軸である中間車Ｒ７、中間車Ｒ７と係合する中間車Ｒ８、および中間車Ｒ１０と同軸でありそれと一体の中間車Ｒ９、および日補正制御ＣＯＲ１の４つの中間車を有する。この日補正制御ＣＯＲ１は、かんぬきＢ２の傾斜位置にある日ディスクＤＩＳの内側歯と係合することが意図されており、一方で中間車Ｒ１０は、かんぬきＢ２の別の位置にある曜日の名前を有するディスクＪと一体の曜車Ｒｊと係合する曜日補正中間車ＣＯＲ２と係合するように設計されている。
【００３４】
図８は、日ディスクＤＩＳの調整に関連する調整装置部分をより詳細に示す。ピンＡ２，３の周りを枢動するように取り付けられたレバーＬ２が、それぞれの角度位置が合わせられたカムＣ１、Ｃ２の中空内にばねＲＥ２によって押し込められる。カムＣ２内の３つの中空は、引っ張り出された位置にある巻真Ｔによって３つのレバーＬ１、Ｌ２、Ｌ３と対向するように配置されており、選択カムＣ１の中空Ｏ２は、レバーＬ２の隣接する先端と対向するように移動されている。各々のカムＣ１、Ｃ２内の１つの中空はレバーＬ２の隣接する先端と対向する同じ角度位置を有するため、レバーＬ２は、ばねＲＥ２によって生じた圧力下で枢軸Ａ２，３の周りを枢動する。レバーＬ２が枢動するとき、レバーのピンＧ２が、かんぬきＢ２を図８に示す位置まで移動させ、その位置では、補正可動ユニットＣＯＲ１のアームが日ディスクＤＩＳの内側歯に進入する。その結果、巻真Ｔの回転が、補正可動部分ＣＯＲ１に伝達され、このＣＯＲ１により、日ディスクＤＩＳが一方の方向から他方へと移動することができる。
【００３５】
図９は、曜日ディスクＪの調整に関連する調整装置の部分をより詳細に示す。カムＣ２は、引っ張り出された巻真Ｔに対応する位置に依然としてあり、中間車ＲＣ１、ＲＣ２の竜頭の係合は外れている（図６に示す位置）。選択カムＣ１は、回転ベゼルＬの助けにより、図９に示す角度位置まで移動され、その位置では、中空Ｏ２は、レバーＬ３の先端と対向し、カムＣ２の中空と一致している。そのため、レバーＬ３がばねＲＥ３の圧力下で傾くことが可能になる。この位置では、かんぬきＢ２は、その軸ＰＢ２の周りで自由に枢働するようになる。結果として、巻真Ｔがその軸の周りを時計方向に回転させられると、中間車Ｒ９もまた時計方向に回転し、それにより、トルクがかんぬきＢ２に伝達されてこれもまた時計方向に回転し、したがって中間車Ｒ１０を補正中間車ＣＯＲ２に係合させ、ＣＯＲ２は、曜車Ｒｊを時計方向に駆動する。その結果、曜日補正はこの方向でのみ行うことができる。というのは、逆方向ではかんぬきＢ２が半時計方向に回転するからである。しかし、かんぬきＢ２は、日補正可動部材ＣＯＲ１のアームが日ディスクＤＩＳの歯と接触できないように、レバーＬ２と一体であるピンＧ２によって停止される。
【００３６】
図１０は、時間の設定を意図した調整装置の部分を図示する。この例で説明する実施形態では、第２の選択中空Ｏ１は、回転ベゼルＬの回転角度を小さくするために、時間の設定のみに使用される選択カムＣ１上に設けられている。この中空Ｏ１が、巻真Ｔによって制御されるカムＣ２の中空に対応する、図１０に示す角度位置に置かれるとき、レバーＬ１の隣接する先端は、カムＣ１、Ｃ２の重ねられた中空内に圧入され、その結果、レバーＬ１は枢軸Ａ１を中心にして傾き、時間調整かんぬきＢ１を反時計方向に傾け、中間車Ｒ５をムーブメントの車Ｒｍｉｎと係合させ、それにより、時間および分の針の調整が可能になる。
【００３７】
制御装置を用いて制御することができる機能および／または指示の数が、説明した例における数には限定されないことは明らかである。他の調整を追加することができ、その原理は、いつでも、調整する必要がある時間指示に調整制御を連結するために設けられた様々な手段が、それらの状態０からそれらの状態１へと通過できるようにしてカムの状態１が位置決めされるとき、こうした手段に関連して移動させることができる、２つの状態０、１を有する選択カムの原理である。
【００３８】
本発明の原理に関連した説明で示されたように、通常、回転および並進において２自由度を有する巻真が、その回転自由度における調整制御としておよび軸方向の並進自由度における選択制御として同時に使用される場合で説明した例のように、カムＣ２は、制御部材が２位置式制御である場合に限り必要なものである。したがって、機械式スイッチの部分がある程度自由に動く第２のカムが必要とされる。カムＣ２が、１つの位置にある場合、巻真Ｔの他の機能を妨げないように、すべての調整が不可能になる。カムＣ２がその他の位置にあるとき、すべての調整が可能になり、セレクタが、可能な調整間における選択を可能にし、それは、望ましいことである。
【００３９】
したがって、選択カムＣ１、および一方は巻上げのみ、他方は選択された時間指示の調整のみの２つの別個の制御だけを有することが可能になる。こうした制御が、２つの巻真である場合、それらは、１つのみの軸方向位置を有し、中間車ＲＣ１、ＲＣ２の竜頭の係合を外す機構を省くことができる。こうした２つの巻真は、胴部Ｍの周りである角度で分離することができ、あるいは同軸で互いに取り付けることもでき、その各々は、巻上げ竜頭として知られている既知の駆動ボタンに固定され、その２つの竜頭は、巻上げ巻真および調整巻真の軸に沿って互いに隣接している。
【００４０】
単一の選択カムＣ１を有する制御装置の場合、例えば単一の軸方向位置にある巻真タイプのロッドなどの制御を１つだけ有することも可能である。この場合、巻上げは、選択カムＣ１によって選択される機能の１つに対応する。
【００４１】
選択カムＣ１を制御する回転ベゼルの使用を説明してきたが、この選択カムの制御をもたらす巻真タイプのロッドの使用を妨げるものは何もない。
【００４２】
他の改変形態も想定することができる。同様に、本発明が関連する時計の調整装置によって調整可能なあらゆる種類の機能および／または時間指示もまた、想定することができる。したがって、時間軸の変更は、同様の方法で調整することができる。
【００４３】
本発明による時計はまた、機械式または電子式のいずれでもよいことが、上記の説明からさらに明白である。
【図面の簡単な説明】
【００４４】
【図１】（ａ）（ｂ）は調整装置の作動原理を示す図である。
【図２】図３の線ＩＩＩ〜ＩＩＩに沿った断面の、本発明が関連する時計用のケーシングの平面図である。
【図３】図２の線ＩＶ〜ＩＶに沿った断面図である。
【図４】図２の線Ｖ〜Ｖに沿った断面図である。
【図５】図２の線ＶＩ〜ＶＩに沿った巻上げ機構の断面図であり、図２では、この巻き戻し機構の巻真のみが確認できる。
【図６】第２の位置にある巻上げ機構を示す図５に類似した図である。
【図７】静止位置にある、時計の好ましい実施形態の機能および／または時間指示調整装置全体を示す、時計の文字盤側の平面図である。
【図８】日指示を調節するための位置にある、図７の調整装置を示す部分図である。
【図９】曜日指示を設定する位置にある、図７の調整装置を示す部分図である。
【図１０】時間を調整する位置にある、図７の調整装置を示す部分図である。
【符号の説明】
【００４５】
Ａ  制御軸
Ａ１、Ａ２、Ａ３、Ａ４、ＰＢ１、ＰＢ２  軸
ＡＣ  竜頭軸
Ｂ１、Ｂ２  かんぬき
Ｃ１  選択カム
Ｃ２  第２のカム
Ｃ２’  アーム
Ｃ３  位置決めカム
ＣＭ  マルタ十字
ＣＯＲ１  日補正制御
ＣＯＲ２  曜日補正中間車
ＣＶ  ロッキングスクエア
Ｄ  アーム
Ｄａ  Ｂｒｅｇｕｅｔベベル歯
Ｄｃ  角度付けされた歯
Ｄｆ  正面歯
ＤＩＳ  日ディスク
Ｇ  駆動ピン
Ｇ１  連接部
Ｇ２  ピン
Ｊ  曜日ディスク
Ｌ  回転ベゼル
Ｌ１、Ｌ２、Ｌ３  レバー
ＬＭ  円筒形ハウジング
ＬＭ１  ハウジングＬＭのある部分
Ｍ  胴部
Ｏ１、Ｏ２  中空
Ｐ  巻上げピニオン
Ｒ１、Ｒ２、Ｒ３、Ｒ４、Ｒ５、Ｒ６、Ｒ７、Ｒ８、Ｒ９、Ｒ１０  中間車
ＲＣ１  巻上げ竜頭
ＲＣ２  第２の巻上げ竜頭
ＲＥ１、ＲＥ２、ＲＥ３  戻りばね
ＲＥＳ１  ばね
Ｒｊ  曜車
ＲＯ  香箱スプロケット
Ｓ  セレクタ
ＳＰ  位置決め留め金
Ｔ  巻真
Ｔｉ  設定レバー
【図１】
0005555412.tif 000002
【図２】
0005555412.tif 000003
【図３】
0005555412.tif 000004
【図４】
0005555412.tif 000005
【図５】
0005555412.tif 000006
【図６】
0005555412.tif 000007
【図７】
0005555412.tif 000008
【図８】
0005555412.tif 000009
【図９】
0005555412.tif 000010
【図１０】
0005555412.tif 000011